(57)【要約】【課題】利用者の操作により例えばクレッジトカードを親カードとしてＥＴＣカード等の子カードを即時発行可能な利便性に優れたカード発行システムを提供する。【解決手段】利用者が提示する親カードとしてのクレジットカード（第１のカード）からデータを読取るとともに、当該利用者が本人であるか否かを確認し、この本人確認により当該利用者が本人であると確認された場合、クレジットカードから読取ったデータに基づきクレジットカード発行会社のホスト装置に対し与信確認を行ない、この与信確認によりカードの発行が許可された場合、クレジットカードに対する子カードとしてＥＴＣカード（第２のカード）を発行する。【選択図】      図１
2005275743.tif 000002
【特許請求の範囲】
【請求項１】
利用者が提示する当該カードを利用するために必要なデータが記録されている基本となる第１のカードから前記データを読取るカード読取手段と、
前記利用者が本人であるか否かを確認する本人確認手段と、
この本人確認手段により前記利用者が本人であると確認された場合、前記カード読取手段により読取られたデータに基づきカード発行会社のホスト装置に対しカード発行可否確認を行なうカード発行可否確認手段と、
このカード発行可否確認手段によるカード発行可否確認の結果、カードの発行が許可された場合、前記第１のカードに対して利用を限定した第２のカードを発行するカード発行手段と、
を具備したことを特徴とするカード発行システム。
【請求項２】
利用者が提示する当該カードを利用するために必要なデータが記録されている基本となる第１のカードから前記データを読取るカード読取手段と、
このカード読取手段により読取られたデータに基づき当該第１のカードの正当性を確認するカード確認手段と、
前記利用者の固有情報を用いて当該利用者が本人であるか否かを確認する本人確認手段と、
前記カード確認手段により当該第１のカードが正しいと確認され、かつ、前記本人確認手段により当該利用者が本人であると確認された場合、前記カード読取手段により読取られたデータに基づきカード発行可否確認データを作成し、この作成したカード発行可否確認データをカード発行会社のホスト装置へ送信することによりカード発行可否確認を行なうカード発行可否確認手段と、
このカード発行可否確認手段によるカード発行可否確認の結果、カードの発行が許可された場合、前記カード読取手段により読取られたデータに基づきカード発行データを作成するカード発行データ作成手段と、
このカード発行データ作成手段により作成されたカード発行データに基づき、あらかじめ用意された未発行状態のカードに対し必要なデータを記録することにより、前記第１のカードに対して利用を限定した第２のカードを発行するカード発行手段と、
を具備したことを特徴とするカード発行システム。
【請求項３】
店舗等に設置され、利用者が操作する発行端末装置と、この発行端末装置とは異なる場所に設置され、前記発行端末装置および複数のカード発行会社の各ホスト装置と通信回線を介して接続された発行制御装置とから構成され、
前記発行端末装置は、
利用者が提示する当該カードを利用するために必要なデータが記録されている基本となる第１のカードから前記データを読取るカード読取手段と、
このカード読取手段により読取られたデータに基づき当該第１のカードの正当性を確認するカード確認手段と、
前記利用者の固有情報を用いて当該利用者が本人であるか否かを確認する本人確認手段と、
前記カード確認手段により当該第１のカードが正しいと確認され、かつ、前記本人確認手段により当該利用者が本人であると確認された場合、前記カード読取手段により読取られたデータに基づきカード発行申請データを作成するカード発行申請データ作成手段と、
このカード発行申請データ作成手段により作成されたカード発行申請データを前記発行制御装置へ送信する第１の送信手段とを具備し、
前記発行制御装置は、
前記発行端末装置の第１の送信手段により送信されたカード発行申請データを受信する第１の受信手段と、
この第１の受信手段により受信されたカード発行申請データに基づきカード発行会社ごとのカード発行可否確認データを作成し、この作成したカード発行可否確認データを対応するカード発行会社のホスト装置へ送信することによりカード発行可否確認を行なうカード発行可否確認手段と、
このカード発行可否確認手段によるカード発行可否確認の結果、カードの発行が許可された場合、前記第１の受信手段により受信されたカード発行申請データに基づきカード発行データを作成するカード発行データ作成手段と、
このカード発行データ作成手段により作成されたカード発行データを前記発行端末装置へ送信する第２の送信手段とを具備し、
前記発行端末装置は、さらに、
あらかじめ複数の未発行状態のカードを保管しているカード保管手段と、
前記発行制御装置の第２の送信手段により送信されたカード発行データを受信する第２の受信手段と、
前記カード保管手段から未発行状態のカードを取出し、この取出した未発行状態のカードに対し前記第２の受信手段により受信されたカード発行データに基づき必要なデータを記録することにより、前記第１のカードに対して利用を限定した第２のカードを発行するカード発行手段とを具備したことを特徴とするカード発行システム。
【請求項４】
前記発行制御装置は、さらに、
前記カード発行データ作成手段により作成されたカード発行データに基づきカード発行履歴データを作成するカード発行履歴データ作成手段と、
このカード発行履歴データ作成手段により作成されたカード発行履歴データを対応するカード発行会社のホスト装置へ送信する第３の送信手段と、
を具備したことを特徴とする請求項３記載のカード発行システム。
【請求項５】
利用者が提示する当該カードを利用するために必要なデータが記録されている基本となる第１のカードから前記データを読取るカード読取ステップと、
前記利用者が本人であるか否かを確認する本人確認ステップと、
この本人確認ステップにより前記利用者が本人であると確認された場合、前記カード読取ステップにより読取られたデータに基づきカード発行会社のホスト装置に対しカード発行可否確認を行なうカード発行可否確認ステップと、
このカード発行可否確認ステップによるカード発行可否確認の結果、カードの発行が許可された場合、前記第１のカードに対して利用を限定した第２のカードを発行するカード発行ステップと、
を具備したことを特徴とするカード発行方法。
【請求項６】
利用者が提示する当該カードを利用するために必要なデータが記録されている基本となる第１のカードから前記データを読取るカード読取ステップと、
このカード読取ステップにより読取られたデータに基づき当該第１のカードの正当性を確認するカード確認ステップと、
前記利用者の固有情報を用いて当該利用者が本人であるか否かを確認する本人確認ステップと、
前記カード確認ステップにより当該第１のカードが正しいと確認され、かつ、前記本人確認ステップにより当該利用者が本人であると確認された場合、前記カード読取ステップにより読取られたデータに基づきカード発行可否確認データを作成し、この作成したカード発行可否確認データをカード発行会社のホスト装置へ送信することによりカード発行可否確認を行なうカード発行可否確認ステップと、
このカード発行可否確認ステップによるカード発行可否確認の結果、カードの発行が許可された場合、前記カード読取ステップにより読取られたデータに基づきカード発行データを作成するカード発行データ作成ステップと、
このカード発行データ作成ステップにより作成されたカード発行データに基づき、あらかじめ用意された未発行状態のカードに対し必要なデータを記録することにより、前記第１のカードに対して利用を限定した第２のカードを発行するカード発行ステップと、
を具備したことを特徴とするカード発行方法。
【発明の詳細な説明】
【技術分野】
【０００１】
本発明は、たとえば、既に発行されていて一般の店舗などで利用できるクレッジトカード（第１のカード）を親カードとして、有料道路の自動料金収受システム（ＥＴＣ）に用いるいわゆるＥＴＣカード（第２のカード）を子カードとして発行するカード発行システムおよびカード発行方法に関する。
【背景技術】
【０００２】
一般に、店舗で利用できるクレジットカード等のカード発行は、カード発行会社が個別に実施している。また、店頭等での即時発行も、カード発行会社の社員等が自社のカード発行を個別に実施している。  
ところで、最近、たとえば、ＥＴＣ（Ｅｌｅｃｔｏｒｉｃ  Ｔｏｌｌ  Ｃｏｌｌｅｃｔｉｏｎ  Ｓｙｓｔｅｍ）と称される自動料金収受システムが開発されている。この自動料金収受システムは、有料道路の走行料金を自動的に収受するもので、そのためにいわゆるＥＴＣカードが用いられる。
【０００３】
ＥＴＣカードは、クレジットカード発行会社が発行する子カードである。子カードとは、一般の店舗で利用できるクレジットカード（親カード）に対して、有料道路等の特定領域でのみ利用可能とする利用限定のカードである。  
子カードの発行には、親カードの発行と同時に行なう場合（新規会員）と、既に親カードを所持している会員（既存会員）に対し追加発行を行なう場合とがある。既存会員に対する追加発行は、クレジットカード発行会社の入会審査において簡易な審査を行なえばよく、即時発行の対応が新規会員に対して簡易である。
【特許文献１】特開２００３−２０３２０７号公報
【発明の開示】
【発明が解決しようとする課題】
【０００４】
ところが、従来のカード発行方法では、店頭での即時発行対応のために、設備および人員をカード発行会社が個別に用意する必要がある。  
また、店頭において、カード発行依頼者（会員）およびカード発行作業者（カード発行会社）は、カード発行に複雑な手続きと、長い発行時間を要するという問題がある。
【０００５】
そこで、本発明は、利用者の操作により例えばクレッジトカードを親カードとしてＥＴＣカード等の子カードを即時発行可能な非常に利便性に優れたカード発行システムおよびカード発行方法を提供することを目的とする。
【課題を解決するための手段】
【０００６】
本発明のカード発行システムは、利用者が提示する当該カードを利用するために必要なデータが記録されている基本となる第１のカードから前記データを読取るカード読取手段と、前記利用者が本人であるか否かを確認する本人確認手段と、この本人確認手段により前記利用者が本人であると確認された場合、前記カード読取手段により読取られたデータに基づきカード発行会社のホスト装置に対しカード発行可否確認を行なうカード発行可否確認手段と、このカード発行可否確認手段によるカード発行可否確認の結果、カードの発行が許可された場合、前記第１のカードに対して利用を限定した第２のカードを発行するカード発行手段とを具備している。
【０００７】
また、本発明のカード発行方法は、利用者が提示する当該カードを利用するために必要なデータが記録されている基本となる第１のカードから前記データを読取るカード読取ステップと、前記利用者が本人であるか否かを確認する本人確認ステップと、この本人確認ステップにより前記利用者が本人であると確認された場合、前記カード読取ステップにより読取られたデータに基づきカード発行会社のホスト装置に対しカード発行可否確認を行なうカード発行可否確認ステップと、このカード発行可否確認ステップによるカード発行可否確認の結果、カードの発行が許可された場合、前記第１のカードに対して利用を限定した第２のカードを発行するカード発行ステップとを具備している。
【発明の効果】
【０００８】
本発明によれば、利用者の操作により例えばクレッジトカードを親カードとしてＥＴＣカード等の子カードを即時発行可能な利便性に優れたカード発行システムおよびカード発行方法を提供できる。
【発明を実施するための最良の形態】
【０００９】
以下、本発明の実施の形態について図面を参照して説明する。  
図１は、本実施の形態に係るカード発行システムの構成を概略的に示すものである。図１において、発行端末装置１１は、各種店舗等に設置されるもので、利用者（会員）１２の操作により、既に発行済みのクレッジトカード（たとえば、ＩＣカード）１３を親カードとしてＩＣカードによるＥＴＣカード（子カード）１４を即時発行するものである。
【００１０】
発行制御装置１５は、発行端末装置１１とは異なる場所、たとえば、発行端末装置１１とは遠隔した特定の場所に設置され、発行端末装置１１を制御するもので、発行端末装置１１および複数のクレジットカード発行会社（たとえば、Ａ，Ｂ，Ｃ社）の各ホスト装置（ホストコンピュータ）１６，…と通信回線を介してオンライン接続されている。
【００１１】
図２は、発行端末装置１１の構成を概略的に示すものである。すなわち、発行端末装置１１は、キーボードなどの入力部２１、各種操作案内や入出力データなどを表示する表示部２２、これら入力部２１および表示部２２を制御するマンマシンインタフェイス２３、発行申請データを作成するカード発行申請データ作成手段としての発行申請データ作成部２４、複数枚の生カード（未発行状態のＩＣカード）を保管しているカード保管手段としての生カード保管部２５、生カード保管部２５から生カードを１枚取出して、当該生カードに対し所定のデータを記録することによりＥＴＣカード（子カード）を発行するカード発行手段としての子カード発行部２６、子カード発行部２６に接続されたカード処理部２７およびカード表面印刷部２８、利用者が提示するクレッジトカードを親カードとして取込み、当該カードに記録されているデータを読取るカード読取手段としての親カード処理部２９、発行制御装置１５と通信を行なうための送信および受信手段としてのインタフェイス３０、および、これら全体の制御を司る制御手段、カード確認手段および本人確認手段としての中央処理装置３１から構成されている。
【００１２】
図３は、発行制御装置１５の構成を概略的に示すものである。すなわち、発行制御装置１５は、ホスト装置１６に対しカード発行可否確認（たとえば、与信確認）を行なうためのデータを作成するカード発行可否確認手段としての与信確認データ作成部４１、カード発行履歴データを作成するカード発行履歴データ作成手段としてのカード発行履歴データ作成部４２、ＥＴＣカード（子カード）を発行するためのデータを作成するカード発行データ作成手段としてのカード発行データ作成部４３、カード発行データ作成部４３に接続された共通データ処理部４４および各社個別データ処理部４５、発行端末装置１１と通信を行なうための送信および受信手段としてのインタフェイス４６、複数のクレジットカード発行会社の各ホスト装置１６，…と通信を行なうための送信および受信手段としてのインタフェイス４７、および、これら全体の制御を司る制御手段およびカード発行可否確認手段としての中央処理装置４８から構成されている。
【００１３】
次に、このような構成において、利用者の操作により、たとえば、既に発行済みのクレッジトカードを親カードとしてＥＴＣカード（子カード）を発行する処理の流れについて説明する。
【００１４】
まず、図１を用いて全体的な処理の流れについて概略的に説明する。利用者（会員）１２は、所持するクレジットカード（親カード）１３を発行端末装置１１に挿入し、暗証番号等で本人確認を行なう（図中の丸数字「１」に対応）。本人確認の結果、当該利用者が本人である場合、発行端末装置１１は、発行制御装置１５に対し子カード発行申請を行なう（図中の丸数字「２」に対応）。
【００１５】
発行制御装置１５は、発行端末装置１１からの子カード発行申請を基に与信確認データを作成し、ホスト装置１６に送信する（図中の丸数字「３」に対応）。ホスト装置１６は、発行制御装置１５からの与信確認データに基づき与信確認を行ない、その与信確認の結果に基づき子カード発行許可（または発行不許可）の回答を発行制御装置１５に返信する（図中の丸数字「４」に対応）。
【００１６】
発行制御装置１５は、ホスト装置１６から子カード発行許可の回答を受取ると、親カードとしてのクレジットカード１３から読取ったデータに基づき子カード発行データを作成し、発行端末装置１１に送信する（図中の丸数字「５」に対応）。発行端末装置１１は、発行制御装置１５からの子カード発行データに基づき子カード（ＥＴＣカード）１４を発行し、利用者１２はこの発行された子カード１４を受取る（図中の丸数字「６」に対応）。
【００１７】
次に、図２を用いて発行端末装置１１における処理の流れについて詳細に説明する。利用者は、所持するクレジットカードを親カード処理部２９のカード挿入部に挿入することにより、親カード処理部２９は当該クレジットカードのデータを読取り、中央処理装置３１に送る。中央処理装置３１は、クレジットカードから読取ったデータに基づき当該カードの正当性を確認する。
【００１８】
また、利用者は、本人確認のために暗証番号を入力部２１から入力する。すると、中央処理装置３１は、クレジットカードから読取った暗証番号と入力部２１から入力された暗証番号とを照合し、両暗証番号が一致するか否かで本人確認を行なう。
【００１９】
受入れたクレジットカードが正しく、かつ、当該利用者が本人であると確認された場合、発行申請データ作成部２４は、クレジットカードから読取ったデータに基づき発行申請データを作成する。この作成された発行申請データは、発行制御装置インタフェイス３０により発行制御装置１５に送信される。
【００２０】
発行申請データの送信に対し、発行制御装置１５から送信される子カード発行データは、発行制御装置インタフェイス３０により受信される。すると、子カード発行部２６は、生カード保管部２５から生カード（未発行状態のＩＣカード）を取出し、この取出した生カードに対し、発行制御装置１５からの子カード発行データに基づき必要なデータを記録することにより、子カードとしてのＥＴＣカードを発行する。このとき、ＩＣカード処理部２７は、生カードのＩＣメモリに対しデータの書込みを行ない、カード表面印刷部２８は、生カードの表面に対し目視データの印刷を行なう。  
発行された子カードとしてのＥＴＣカードは、親カードとしてのクレジットカードとともに発行端末装置１１から排出される。
【００２１】
次に、図３を用いて発行制御装置１５における処理の流れについて詳細に説明する。発行端末装置インタフェイス４６は、発行端末装置１１からの発行申請データを受信する。すると、与信確認データ作成部４１は、受信した発行申請データを基にクレジットカード発行会社ごとのホスト装置１６への与信確認データを作成する。この作成された与信確認データは、ホスト装置インタフェイス４７によりホスト装置１６に送信される。
【００２２】
与信確認データの送信に対し、ホスト装置１６から返信される与信確認の結果はホスト装置インタフェイス４７により受信される。すると、カード発行データ作成部４３は、受信した与信確認の結果および発行申請データを基にカード発行データを作成する。この作成されたカード発行データは、発行端末装置インタフェイス４６により発行端末装置１１に送信される。
【００２３】
また、カード発行履歴データ作成部４２は、このときのカード発行内容を示すカード発行履歴データを作成する。この作成されたカード発行履歴データは、その都度または所定回数分ごとに一括してホスト装置インタフェイス４７によりホスト装置１６に送信される。
【００２４】
以上説明したように、上記実施の形態によれば、以下のような作用効果が期待できる。  
（１）未発行状態の生カードを発行端末装置に保持することにより、子カードの即時発行が可能となる。  
（２）発行端末装置にて子カードの発行を行なうことにより、各種店舗等における即時発行が可能となり、かつ、複数のカード発行会社の子カードが発行可能となる。  
（３）店舗等に設置され主に子カードの発行のみを行なう発行端末装置と、この発行端末装置と遠隔した場所に設置され当該発行端末装置を制御する発行制御装置とにより構成し、それぞれの機能を分離することにより、たとえば、発行端末装置の難時等におけるリスクを軽減することができる。  
（４）クレジットカード発行会社のホスト装置とのインタフェイスを既存の与信確認で実施することにより、クレジットカード発行会社側の対応負荷を軽減することができる。  
（５）発行制御装置が複数のクレジットカード発行会社のホスト装置とのインタフェイスを保持することにより、複数のクレジットカード発行会社の子カードを発行可能となる。  
（６）発行端末装置および発行制御装置を複数のクレジットカード発行会社が相乗りすることにより、運営コストの低減が図れる。
【００２５】
なお、前記実施の形態では、既に発行されていて一般の店舗などで利用できるクレッジトカード（第１のカード）を親カードとして、ＥＴＣカード（第２のカード）を子カードとして発行するカード発行システムに適用した場合について説明したが、本発明はこれに限定されるものではなく、たとえば、クレッジトカード（第１のカード）を親カードとして、当該クレッジトカードの家族が利用する利用範囲が限定された家族カード（第２のカード）を子カードとして発行するカード発行システム等にも同様に適用できる。
【００２６】
また、親カードとしてのクレッジトカードおよび子カードとしてのＥＴＣカードがＩＣカードにより構成されている場合について説明したが、本発明はこれに限定されるものではなく、たとえば、磁気カードにより構成されている場合でも同様に適用できる。
【図面の簡単な説明】
【００２７】
【図１】本発明の実施の形態に係るカード発行システムの構成を概略的に示すブロック図。
【図２】発行端末装置の構成を概略的に示すブロック図。
【図３】発行制御装置の構成を概略的に示すブロック図。
【符号の説明】
【００２８】
１１…発行端末装置、１２…利用者（会員）、１３…クレッジトカード（親カード）、１４…ＥＴＣカード（子カード）、１５…発行制御装置、１６…ホスト装置（ホストコンピュータ）、２１…入力部、２２…表示部、２４…発行申請データ作成部（カード発行申請データ作成手段）、２５…生カード保管部（カード保管手段）、２６…子カード発行部（カード発行手段）、２９…親カード処理部（カード読取手段）、３０…発行制御装置インタフェイス（送信、受信手段）、３１…中央処理装置（制御手段、カード確認手段、本人確認手段）、４１…与信確認データ作成部（カード発行可否確認手段）、４２…カード発行履歴データ作成部（カード発行履歴データ作成手段）、４３…カード発行データ作成部（カード発行データ作成手段）、４６…発行端末装置インタフェイス（送信、受信手段）、４７…ホスト装置インタフェイス（送信、受信手段）、４８…中央処理装置（制御手段、カード発行可否確認手段）。
【図１】
2005275743.tif 000003
【図２】
2005275743.tif 000004
【図３】
2005275743.tif 000005